【手続補正書】
【提出日】平成18年11月28日(2006.11.28)
【手続補正１】
【補正対象書類名】特許請求の範囲
【補正対象項目名】全文
【補正方法】変更
【補正の内容】
【特許請求の範囲】
【請求項１】
画素電極と電気的に接続された不揮発性メモリ素子を画素に有し、
前記不揮発性メモリ素子に映像信号を保持することを特徴とする表示装置。
【請求項２】
ソース信号線と、ゲート信号線と、画素を有し、
前記画素は、スイッチング素子と、不揮発性メモリ素子と、画素電極を有し、
前記スイッチング素子の入力端子が前記ソース信号線に電気的に接続され、
前記スイッチング素子の出力端子が前記不揮発性メモリ素子と前記画素電極に電気的に接続され、
前記スイッチング素子の制御端子が前記ゲート信号線に電気的に接続されることを特徴とする表示装置。
【請求項３】
ソース信号線と、ゲート信号線と、画素を構成するサブ画素を有し、
前記サブ画素は、スイッチング素子と、不揮発性メモリ素子と、画素電極を有し、
前記スイッチング素子の入力端子が前記ソース信号線に電気的に接続され、
前記スイッチング素子の出力端子が前記不揮発性メモリ素子と前記画素電極に電気的に接続され、
前記スイッチング素子の制御端子が前記ゲート信号線に電気的に接続されることを特徴とする表示装置。
【請求項４】
複数のソース信号線と、複数のゲート信号線と、複数の画素をマトリクス状に配置し、
前記複数の画素の一は、複数のサブ画素からなり、
前記複数のサブ画素はそれぞれ、スイッチング素子と、不揮発性メモリ素子と、画素電極を有し、
前記スイッチング素子の入力端子が前記複数のソース信号線の一に電気的に接続され、
前記スイッチング素子の出力端子が前記不揮発性メモリ素子と前記画素電極に電気的に接続され、
前記スイッチング素子の制御端子が前記複数のゲート信号線の一に電気的に接続され、
前記複数の画素の一における複数のサブ画素のスイッチング素子はそれぞれ異なるソース信号線に接続されることを特徴とする表示装置。
【請求項５】
複数のソース信号線と、複数のゲート信号線と、複数の画素をマトリクス状に配置し、
前記複数の画素の一は、ｎ個のサブ画素からなり、
前記ｎ個のサブ画素に対して、ｎ本のソース信号線を配置し、
前記ｎ個のサブ画素はそれぞれ、スイッチング素子と、不揮発性メモリ素子と、画素電極を有し、
前記スイッチング素子の入力端子が前記ｎ本のソース信号線の一に電気的に接続され、
前記スイッチング素子の出力端子が前記不揮発性メモリ素子と前記画素電極に電気的に接続され、
前記スイッチング素子の制御端子が前記複数のゲート信号線の一に電気的に接続され、
前記複数の画素の一におけるｎ個のサブ画素のスイッチング素子はそれぞれ異なるソース信号線に接続されることを特徴とする表示装置。
【請求項６】
複数のソース信号線と、複数のゲート信号線と、複数の画素をマトリクス状に配置し、
前記複数の画素の一は、複数のサブ画素からなり、
前記複数のサブ画素はそれぞれ、スイッチング素子と、不揮発性メモリ素子と、画素電極を有し、
前記スイッチング素子の入力端子が前記複数のソース信号線の一に電気的に接続され、
前記スイッチング素子の出力端子が前記不揮発性メモリ素子と前記画素電極に電気的に接続され、
前記スイッチング素子の制御端子が前記複数のゲート信号線の一に電気的に接続され、
前記複数の画素の一における複数のサブ画素のスイッチング素子はそれぞれ異なるゲート信号線に接続されることを特徴とする表示装置。
【請求項７】
複数のソース信号線と、複数のゲート信号線と、複数の画素をマトリクス状に配置し、
前記複数の画素の一は、ｎ個のサブ画素からなり、
前記ｎ個のサブ画素に対して、ｎ本のゲート信号線を配置し、
前記ｎ個のサブ画素はそれぞれ、スイッチング素子と、不揮発性メモリ素子と、画素電極を有し、
前記スイッチング素子の入力端子が前記複数のソース信号線の一に電気的に接続され、
前記スイッチング素子の出力端子が前記不揮発性メモリ素子と前記画素電極に電気的に接続され、
前記スイッチング素子の制御端子が前記ｎ本のゲート信号線の一に電気的に接続され、
前記複数の画素の一におけるｎ個のサブ画素のスイッチング素子はそれぞれ異なるゲート信号線に接続されることを特徴とする表示装置。
【請求項８】
画素電極と電気的に接続された駆動素子と、前記駆動素子と電気的に接続された不揮発性メモリ素子を画素に有し、
前記不揮発性メモリ素子に映像信号を保持することを特徴とする表示装置。
【請求項９】
ソース信号線と、ゲート信号線と、画素と、を有し、
前記画素は、スイッチング素子と、不揮発性メモリ素子と、駆動素子と、画素電極を有し、
前記スイッチング素子の入力端子が前記ソース信号線に電気的に接続され、
前記スイッチング素子の出力端子が前記不揮発性メモリ素子と前記駆動素子に電気的に接続され、
前記スイッチング素子の制御端子が前記ゲート信号線に電気的に接続され、
前記駆動素子は前記画素電極に電気的に接続されることを特徴とする表示装置。
【請求項１０】
ソース信号線と、ゲート信号線と、画素を構成するサブ画素を有し、
前記サブ画素は、スイッチング素子と、不揮発性メモリ素子と、駆動素子と、画素電極を有し、
前記スイッチング素子の入力端子が前記ソース信号線に電気的に接続され、
前記スイッチング素子の出力端子が前記不揮発性メモリ素子と前記駆動素子に電気的に接続され、
前記スイッチング素子の制御端子が前記ゲート信号線に電気的に接続され、
前記駆動素子は前記画素電極に電気的に接続されることを特徴とする表示装置。
【請求項１１】
複数のソース信号線と、複数のゲート信号線と、複数の画素をマトリクス状に配置し、
前記複数の画素の一は、複数のサブ画素からなり、
前記複数のサブ画素はそれぞれ、スイッチング素子と、不揮発性メモリ素子と、駆動素子と、画素電極を有し、
前記スイッチング素子の入力端子が前記複数のソース信号線の一に電気的に接続され、
前記スイッチング素子の出力端子が前記不揮発性メモリ素子と前記駆動素子に電気的に接続され、
前記スイッチング素子の制御端子が前記複数のゲート信号線の一に電気的に接続され、
前記駆動素子は前記画素電極に電気的に接続され
前記複数の画素の一における複数のサブ画素のスイッチング素子はそれぞれ異なるソース信号線に接続されることを特徴とする表示装置。
【請求項１２】
複数のソース信号線と、複数のゲート信号線と、複数の画素をマトリクス状に配置し、
前記複数の画素の一は、ｎ個のサブ画素からなり、
前記ｎ個のサブ画素に対して、ｎ本のソース信号線を配置し、
前記ｎ個のサブ画素はそれぞれ、スイッチング素子と、不揮発性メモリ素子と、駆動素子と、画素電極を有し、
前記スイッチング素子の入力端子が前記ｎ本のソース信号線の一に電気的に接続され、
前記スイッチング素子の出力端子が前記不揮発性メモリ素子と前記駆動素子に電気的に接続され、
前記スイッチング素子の制御端子が前記複数のゲート信号線の一に電気的に接続され、
前記駆動素子は前記画素電極に電気的に接続され、
前記複数の画素の一におけるｎ個のサブ画素のスイッチング素子はそれぞれ異なるソース信号線に接続されることを特徴とする表示装置。
【請求項１３】
複数のソース信号線と、複数のゲート信号線と、複数の画素をマトリクス状に配置し、
前記複数の画素の一は、複数のサブ画素からなり、
前記複数のサブ画素はそれぞれ、スイッチング素子と、不揮発性メモリ素子と、駆動素子と、画素電極を有し、
前記スイッチング素子の入力端子が前記複数のソース信号線の一に電気的に接続され、
前記スイッチング素子の出力端子が前記不揮発性メモリ素子と前記駆動素子に電気的に接続され、
前記スイッチング素子の制御端子が前記複数のゲート信号線の一に電気的に接続され、
前記駆動素子は前記画素電極に電気的に接続され、
前記複数の画素の一における複数のサブ画素のスイッチング素子はそれぞれ異なるゲート信号線に接続されることを特徴とする表示装置。
【請求項１４】
複数のソース信号線と、複数のゲート信号線と、複数の画素をマトリクス状に配置し、
前記複数の画素の一は、ｎ個のサブ画素からなり、
前記ｎ個のサブ画素に対して、ｎ本のゲート信号線を配置し、
前記ｎ個のサブ画素はそれぞれ、スイッチング素子と、不揮発性メモリ素子と、駆動素子と、画素電極を有し、
前記スイッチング素子の入力端子が前記複数のソース信号線の一に電気的に接続され、
前記スイッチング素子の出力端子が前記不揮発性メモリ素子と前記駆動素子に電気的に接続され、
前記スイッチング素子の制御端子が前記ｎ本のゲート信号線の一に電気的に接続され、
前記駆動素子は前記画素電極に電気的に接続され、
前記複数の画素の一におけるｎ個のサブ画素のスイッチング素子はそれぞれ異なるゲート信号線に接続されることを特徴とする表示装置。
【請求項１５】
請求項１乃至請求項１４のいずれか一において、前記不揮発性メモリ素子は強誘電体メモリであることを特徴とする表示装置。
【請求項１６】
請求項１乃至請求項１５のいずれか一において、
前記画素と同一の基板上にソース信号線駆動回路が形成されていることを特徴とする表示装置。
【請求項１７】
請求項１乃至請求項１６のいずれか一において、
前記画素と同一の基板上にゲート信号線駆動回路が形成されていることを特徴とする表示装置。
【請求項１８】
請求項１６または請求項１７において、
前記ソース信号線駆動回路または前記ゲート信号線駆動回路は単極性のトランジスタで構成されていることを特徴とする表示装置。